(57)【要約】  超音波検査用生体モデルは、超音波ガイド下で用いられるものであって、人体組織に近似した超音波伝達性を有する不透明な弾性材料で構成され、生体組織を模したモデル本体と、モデル本体の内部に埋設されており、モデル本体と色および超音波伝達性の程度が異なる弾性材料で構成され、生体組織に生じた病変部を模した少なくとも１つの疑似病変部とを備えており、内部が視認不可能なモデル本体に対して超音波ガイド下で疑似病変部に向けて穿刺の訓練ができる。
2010016353.tif 000002
【特許請求の範囲】
【請求項１】
超音波ガイド下で用いられる超音波検査用生体モデルであって、
人体組織に近似した超音波伝達性を有する不透明な弾性材料で構成され、生体組織を模したモデル本体と、
前記モデル本体の内部に埋設されており、該モデル本体と色および超音波伝達性の程度が異なる弾性材料で構成され、生体組織に生じた病変部を模した少なくとも１つの疑似病変部とを備えており、内部が視認不可能な前記モデル本体に対して前記超音波ガイド下で前記疑似病変部に向けて穿刺の訓練ができることを特徴とする超音波検査用生体モデル。
【請求項２】
前記疑似病変部は、前記モデル本体よりも超音波伝達性が高いものである請求項１に記載の超音波検査用生体モデル。
【請求項３】
前記モデル本体は、超音波伝達性を変化させる材料を含有する樹脂材料で構成されている請求項２に記載の超音波検査用生体モデル。
【請求項４】
前記疑似病変部は、着色剤を含有する樹脂材料で構成されている請求項２に記載の超音波検査用生体モデル。
【請求項５】
前記疑似病変部は、前記モデル本体よりも硬さが高いものである請求項１に記載の超音波検査用生体モデル。
【発明の詳細な説明】
【技術分野】
【０００１】
本発明は、超音波検査用生体モデルに関する。
【背景技術】
【０００２】
例えば肝臓等の臓器に生じた病変部を検査する際には、超音波検査装置が用いられている。超音波検査装置は、一般的に、超音波を発生させ（送信し）、該発生した超音波が病変部で反射した超音波（エコー）を受信するプローブ（探触子）と、プローブを介して受信したデータを処理する処理部と、処理部によって処理されたデータを画像として表示するモニタ（ディスプレイ）とで構成されている。病変部検査では、超音波検査装置のモニタに表示された病変部（画像）を観察しつつ、当該病変部に対し、例えば穿刺針で穿刺する等の処理（処置）を施す。【０００３】
ところで、病変部検査で穿刺針によって穿刺処理を行うには、事前に、その訓練をする場合がある。この訓練を行うための生体モデルとしては、直方体をなすモデル本体と、モデル本体内に埋設された疑似病変部（疑似前立腺）とで構成されたものが知られている（例えば、特許文献１参照）。特許文献１に記載の生体モデルでは、モデル本体は、その内部を視認可能な程度に透明性を有するものである。また、疑似病変部は、着色により不透明化されたものである。【０００４】
しかしながら、この特許文献１に記載の生体モデルは、超音波検査装置の取り扱いに慣れるのには適しているが、病変部が外部から視認できない実際の人体（臨床上）とは異なり、透明なモデル本体を介して疑似病変部が外部から視認可能であるため、その位置や大きさ等を容易に確認することができてしまう。このため、疑似病変部に対し穿刺処理を容易に施すことができ、モニタを見ながら穿刺するという臨床に即した訓練にならない。【０００５】
【特許文献１】特開２００２−３６０５７２号公報
【発明の開示】
【０００６】
本発明の目的は、生体組織に生じた病変部のように外部から視認不可能な疑似病変部に対し、超音波ガイド下で確実に処理を施す訓練を行うことができる超音波検査用生体モデルを提供することにある。
【０００７】
上記目的を達成するために、本発明は、
超音波ガイド下で用いられる超音波検査用生体モデルであって、
人体組織に近似した超音波伝達性を有する不透明な弾性材料で構成され、生体組織を模したモデル本体と、
前記モデル本体の内部に埋設されており、該モデル本体と色および超音波伝達性の程度が異なる弾性材料で構成され、生体組織に生じた病変部を模した少なくとも１つの疑似病変部とを備えており、内部が視認不可能な前記モデル本体に対して前記超音波ガイド下で前記疑似病変部に向けて穿刺の訓練ができることを特徴とする超音波検査用生体モデルである。
【０００８】
これにより、人体や動物の生体組織に生じた病変部に対して確実に処理を施すことができるようにするために、この病変部と同様の条件、すなわち、外部から視認不可能な疑似病変部に対して超音波ガイド下でその処理を確実に施す訓練を行うことができる。
【０００９】
また、本発明の超音波検査用生体モデルでは、前記疑似病変部は、前記モデル本体よりも超音波伝達性が高いものであるのが好ましい。
【００１０】
これにより、超音波ガイド下での画像では、疑似病変部がモデル本体よりも映えるように見え、よって、当該疑似病変部の大きさ、形状および位置を確実に確認する（把握する）ことができる。これにより、外部から視認不可能な（目視不可能な）生体組織の病変部に対し超音波ガイド下で処理を施すのと同様の訓練を行うことができる。
【００１１】
また、本発明の超音波検査用生体モデルでは、前記モデル本体は、超音波伝達性を変化させる材料を含有する樹脂材料で構成されているのが好ましい。
【００１２】
これにより、モデル本体が確実に不透明なものとなり、よって、目視では、疑似病変部を視認することができない。
【００１３】
また、本発明の超音波検査用生体モデルでは、前記疑似病変部は、着色剤を含有する樹脂材料で構成されているのが好ましい。
【００１４】
これにより、疑似病変部は、その色がモデル本体の色と異なるものとなる。
【００１５】
また、本発明の超音波検査用生体モデルでは、前記疑似病変部は、前記モデル本体よりも硬さが高いものであるのが好ましい。
【００１６】
これにより、穿刺操作の過程で、その操作を行っている手に、当該超音波検査用生体モデルの硬さが変化するのが感じられる。この感覚と超音波ガイド下での画像の確認とで、疑似病変部を穿刺したのを確実に認識することができる。
【００１７】
また、本発明の超音波検査用生体モデルでは、前記モデル本体の色は、白色または明色であるのが好ましい。
【００１８】
これにより、モデル本体が確実に不透明なものとなり、よって、目視では、疑似病変部を視認することができない。
【００１９】
また、本発明の超音波検査用生体モデルでは、前記疑似病変部の色は、黒色または暗色であるのが好ましい。
【００２０】
これにより、疑似病変部を生検針で穿刺した際、そのサンプリング結果から穿刺状態を確実に確認することができる。
【００２１】
また、本発明の超音波検査用生体モデルでは、前記モデル本体は、その形状が柱状またはドーム状をなすのが好ましい。
【００２２】
これにより、モデル本体に埋設されている疑似病変部に対し、当該モデル本体の軸周りのいかなる方向からも穿刺動作を行なうことができる。
【００２３】
また、本発明の超音波検査用生体モデルでは、前記疑似病変部は、その形状が球状をなすのが好ましい。
【００２４】
これにより、疑似病変部は、例えば腫瘍のような病変部を模したものとなる。
【００２５】
また、本発明の超音波検査用生体モデルでは、前記疑似病変部は、２つ配置されているのが好ましい。
【００２６】
これにより、１つの超音波検査用生体モデルで、穿刺操作の訓練を２回行うことができる。
【００２７】
また、本発明の超音波検査用生体モデルでは、前記２つの疑似病変部は、当該超音波検査用生体モデルを使用する際に、互いに高さが異なるように配置されているのが好ましい。
【００２８】
これにより、穿刺操作の訓練を行う際、まず、モデル本体の外表面からの深さが浅い方の疑似病変部で穿刺の練習をし、次いで、深さが深い方の疑似病変部で穿刺の練習をすることができる。これにより、生体においてその病変部の深さに応じた確実な穿刺操作を容易に取得することができる。
【００２９】
また、本発明の超音波検査用生体モデルでは、前記２つの疑似病変部は、互いに大きさ、形状および硬さのうちの少なくとも１つの条件が異なるのが好ましい。
【００３０】
これにより、例えば大きさが異なっている場合、穿刺操作の訓練を行う際、まず、大きさが大きい方の疑似病変部で穿刺の練習をし、次いで、大きさが小さい方の疑似病変部で穿刺の練習をすることができる。これにより、確実な穿刺操作を容易に取得することができる。
【００３１】
また、本発明の超音波検査用生体モデルでは、前記モデル本体は、硬さが異なる高剛性層と低剛性層とで構成された積層構造をなすのが好ましい。
【００３２】
これにより、より生体に近似した生体モデルとすることができる。
【００３３】
また、本発明の超音波検査用生体モデルでは、前記疑似病変部は、前記高剛性層内に位置しているのが好ましい。
【００３４】
これにより、疑似病変部に対し、超音波ガイド下で確実に処理を施す訓練を行うことができる。
【００３５】
また、本発明の超音波検査用生体モデルでは、前記モデル本体は、該モデル本体を貫通する貫通孔またはその貫通孔に挿入されたチューブで構成され、血管または胆管を模した疑似管腔部を有するのが好ましい。
【００３６】
これにより、血管または胆管のような生体管腔に対しても穿刺訓練を行なうことができる。
【００３７】
また、本発明の超音波検査用生体モデルでは、前記疑似管腔部は、当該超音波検査用生体モデルを使用する際に前記疑似病変部よりも下方に位置するように配置されているのが好ましい。
【００３８】
これにより、穿刺操作の訓練を行う際、疑似病変部を避けつつ、疑似管腔部を穿刺する訓練をすることができる。
【００３９】
また、本発明の超音波検査用生体モデルでは、前記疑似管腔部は、その途中が複数に分岐しているのが好ましい。
【００４０】
これにより、穿刺操作の訓練を行う際、例えば、疑似管腔部の分岐した部分に対して穿刺行為を行なったり、またはその反対に、疑似管腔部の分岐した部分を穿刺しないように、当該部分を避けた穿刺行為を行なったりすることができる。
【図面の簡単な説明】
【００４１】
【図１】図１は、本発明の超音波検査用生体モデルの第１実施形態を示す斜視図である。
【図２】図２は、図１に示す超音波検査用生体モデルの平面図である。
【図３】図３は、図１に示す超音波検査用生体モデルの使用方法の一例（第１使用例）を順を追って説明するための図である。
【図４】図４は、図１に示す超音波検査用生体モデルの使用方法の一例（第１使用例）を順を追って説明するための図である。
【図５】図５は、図１に示す超音波検査用生体モデルの使用方法の一例（第１使用例）を順を追って説明するための図である。
【図６】図６は、図１に示す超音波検査用生体モデルの使用方法の一例（第１使用例）を順を追って説明するための図である。
【図７】図７は、図５に示す状態で超音波検査装置のモニタに映し出された超音波検査用生体モデルを示す図面代用写真である。
【図８】図８は、超音波検査装置のモニタに映し出された肝臓を示す図面代用写真である。
【図９】図９は、図１に示す超音波検査用生体モデルの使用方法の一例（第２使用例）を順を追って説明するための図である。
【図１０】図１０は、図１に示す超音波検査用生体モデルの使用方法の一例（第２使用例）を順を追って説明するための図である。
【図１１】図１１は、本発明の超音波検査用生体モデルの第２実施形態を示す縦断面図である。
【発明を実施するための最良の形態】
【００４２】
以下、本発明の超音波検査用生体モデルを添付図面に示す好適な実施形態に基づいて詳細に説明する。【００４３】
＜第１実施形態＞
図１は、本発明の超音波検査用生体モデルの第１実施形態を示す斜視図、図２は、図１に示す超音波検査用生体モデルの平面図、図３〜図６は、それぞれ、図１に示す超音波検査用生体モデルの使用方法の一例（第１使用例）を順を追って説明するための図、図７は、図５に示す状態で超音波検査装置のモニタに映し出された超音波検査用生体モデルを示す図面代用写真、図８は、超音波検査装置のモニタに映し出された肝臓を示す図面代用写真、図９および図１０は、それぞれ、図１に示す超音波検査用生体モデルの使用方法の一例（第２使用例）を順を追って説明するための図である。なお、以下では、説明の都合上、図１、図３〜図６、図９および図１０中（図１１についても同様）の上側を「上」または「上方」、下側を「下」または「下方」と言う。【００４４】
図１および図２に示す超音波検査用生体モデル（以下単に「生体モデル」と言う）１は、人体（または動物）の肝臓（生体組織）を模したものである。肝臓に生じた病変部を検査する際、超音波検査装置２０のモニタ（図示せず）に表示された病変部（画像）を観察しつつ、当該病変部に対し、例えば生検針３０の穿刺針３０１で穿刺する処理（処置）を施す場合がある（例えば、図３〜図６参照）。生体モデル１は、超音波ガイド下でこの処置を行う訓練に用いられる。【００４５】
超音波検査装置２０は、超音波Ｕを発生させ（送信し）、該発生した超音波Ｕが病変部（疑似病変部３ａおよび３ｂ）で反射した超音波Ｕ（エコー）を受信するプローブ（探触子）２０１と、プローブ２０１を介して受信したデータを処理する処理部（図示せず）と、処理部によって処理されたデータを画像として表示するモニタ（図示せず）とで構成されている（例えば、図３参照）。【００４６】
図１、図２に示すように、生体モデル１は、モデル本体２と、モデル本体２の内部に埋設された２つの疑似病変部３ａおよび３ｂとを有している。以下、各部の構成について説明する。【００４７】
モデル本体２は、人体の肝臓の一部に相当し、その形状が円柱状をなすものである。このモデル本体２の上面２１に超音波検査装置２０のプローブ２０１を当接させ（載置し）、この状態で超音波Ｕを発生させる（図３参照）。【００４８】
モデル本体２がこのような形状をなすことにより、モデル本体２に埋設されている各疑似病変部３ａ、３ｂに対し、当該モデル本体２の軸周りのいかなる方向からも生検針３０の穿刺針３０１によって穿刺することができる。例えば、図４に示すように、疑似病変部３ａに対しては、図中左側、すなわち、モデル本体２の表面から疑似病変部３ａまでの到達距離が比較的短くなる（疑似病変部３ａに到達し易い）位置より穿刺することができる。また、疑似病変部３ｂに対しては、図４中右側、すなわち、モデル本体２の表面から疑似病変部３ｂまでの到達距離が比較的短くなる（疑似病変部３ｂに到達し易い）位置より穿刺することができる。【００４９】
このモデル本体２は、人体組織に近似した超音波伝達性を有する弾性材料で構成されている。この弾性材料の基材としては、特に限定されず、例えば、アクリル系樹脂を構成材料の１つとするゲル状材料が挙げられる。このゲル状材料は、固体であり、その柔軟性が人体に比較的近い材料である。【００５０】
また、モデル本体２を構成する弾性材料は、超音波Ｕの伝達性を変化させる材料（以下この材料を「伝達性変化材」と言う）を含有している。このような伝達性変化材としては、超音波Ｕを反射や減衰させる材料であり、例えば金属酸化物の微粒子であり、好適には酸化アルミナである。伝達性変化材の形状としては、微粒子に限定されず、例えば、ファイバ状であってもよい。伝達性変化材として酸化アルミナを用いた場合、その含有量にもよるが、モデル本体２は、白く不透明化する（内部が視認不可能な程度に不透明なものとなる）。これにより、目視では、疑似病変部３ａおよび３ｂを視認することができない。すなわち、超音波検査装置２０を使用しなければ（超音波ガイド下でなければ）、疑似病変部３ａおよび３ｂを確認することができない。【００５１】
疑似病変部３ａおよび３ｂは、それぞれ、球体で構成され、肝臓に生じた病変部（腫瘍）を模したものである。各疑似病変部３ａ、３ｂは、それぞれ、モデル本体２に埋設されているため、実際に肝臓に生じた病変部のように外部から視認不可能である。【００５２】
疑似病変部３ａを構成する構成材料と疑似病変部３ｂを構成する構成材料とは、同じであるため、以下、疑似病変部３ａの構成材料について、代表的に説明する。【００５３】
疑似病変部３ａは、超音波伝達性を有する弾性材料で構成されている。この弾性材料としては、特に限定されず、例えば、モデル本体２と同様に、アクリル系樹脂を構成材料の１つとするゲル状材料を用いることができる。【００５４】
また、疑似病変部３ａを構成する弾性材料は、着色剤を含有している。この着色剤としては、特に限定されず、例えば、墨汁や、グラファイト等のような炭素系微粒子が挙げられる。このような着色剤は、それ自体黒色であり、またそれが混合された弾性材料も黒色または暗色となる。これにより、疑似病変部３ａは、その色がモデル本体２の色と異なるものとなる。疑似病変部３ａが黒色または暗色に着色されていることにより、穿刺針３０１で疑似病変部３ａを穿刺した際、サンプリング結果から穿刺針３０１の疑似病変部３ａに対する穿刺状態を確実に確認することができる。【００５５】
疑似病変部３ａは、前述した酸化アルミナのように超音波Ｕの伝達性を変化させる材料を含有していない。これにより、疑似病変部３ａは、モデル本体２よりも超音波伝達性が高いものとなる。超音波検査装置２０のモニタで表示される生体モデル１では、モデル本体２が白く映り、疑似病変部３ａが黒く映る（図７参照）。これにより、モニタ上で疑似病変部３ａがモデル本体２よりも映えるように見え、よって、当該疑似病変部３ａの位置や大きさを確実に確認することができる。これにより、外部から視認不可能な（目視不可能な）肝臓の病変部に対し超音波ガイド下で穿刺処理を施すのと同様の訓練を行うことができる。なお、図８に示すように、超音波検査装置２０のモニタで表示される実際の人体の肝臓でも、生体モデル１の場合と同様に、当該肝臓に生じた病変部Ｐは黒く映る。【００５６】
本実施形態においては、疑似病変部３ａには、伝達性変化材を含有していない例として説明したが、当該疑似病変部３ａを構成する弾性材料内にその量よりも少ない量の伝達性変化材を疑似病変部３ａに含有してもよい。また、当該疑似病変部３ａは伝達性変化材をモデル本体２よりも多く含有してもよい。この場合には、モニタには、モデル本体２よりも疑似病変部３ａの方が白く映る。【００５７】
また、疑似病変部３ａは、例えばその構成材料の１つとして用いるアクリル系樹脂の種類にもよるが、モデル本体２よりも柔軟性が低く、すなわち、硬くなっている。これにより、図４に示すように、モデル本体２の上面２１から生検針３０の穿刺針３０１を穿刺し、穿刺針３０１の針先３０２が疑似病変部３ａに到達した際、生検針３０を把持している手に、生体モデル１の硬さが変化するのが感じられる。この感覚と超音波検査装置２０のモニタの画像の確認とで、穿刺針３０１の針先３０２が疑似病変部３ａに到達したのを確実に認識することができる。【００５８】
前述したように、モデル本体２には、疑似病変部３ａと同様の材料で構成された疑似病変部３ｂが埋設されている。【００５９】
図１に示すように、疑似病変部３ａと疑似病変部３ｂとは、互いに大きさが異なっている。すなわち、疑似病変部３ａが疑似病変部３ｂよりも大きくなっている。これにより、穿刺操作の訓練を行う際、まず、大きさが大きい方の疑似病変部３ａで穿刺の練習をし、次いで、大きさが小さい方の疑似病変部３ｂで穿刺の練習をすることができる（図３〜図６参照）。これにより、確実な穿刺操作を容易に取得することができる。【００６０】
また、各疑似病変部３ａ、３ｂの構成材料の１つとして用いるアクリル系樹脂の種類を変えることにより、疑似病変部３ａと疑似病変部３ｂとが互いに硬さ（柔軟性）が異なるものとなる。これにより、例えば肝臓に硬さが異なる複数の病変部が存在している場合の各病変部に対する穿刺操作を確実に行えるような訓練をすることができる。【００６１】
図３〜図６に示すように、疑似病変部３ａと疑似病変部３ｂとは、生体モデル１を使用する際に、互いに高さが異なるように配置されている。図示の構成では、疑似病変部３ａが疑似病変部３ｂよりも上方に位置している。これにより、穿刺操作の訓練を行う際、まず、モデル本体２の上面２１からの深さが浅い方の疑似病変部３ａで穿刺の練習をし、次いで、深さが深い方の疑似病変部３ｂで穿刺の練習をすることができる（図３〜図６参照）。これにより、肝臓においてその病変部の深さに応じた確実な穿刺操作を容易に取得することができる。【００６２】
なお、疑似病変部３ａと疑似病変部３ｂとは、図示の構成では互いに形状が同じ、すなわち、球状をなしているが、これに限定されず、例えば、互いに形状が異なっていてもよい。疑似病変部３ａと疑似病変部３ｂとが互いに形状が異なっている場合、例えば、一方を球体とし、他方を直方体や円柱とすることができる。【００６３】
また、疑似病変部３ａと疑似病変部３ｂとは、互いに同じ材料で構成されているため、同じ硬さとなっているが、これに限定されず、例えば、互いに硬さが異なっていてもよい。【００６４】
図２に示すように、疑似病変部３ａと疑似病変部３ｂとは、平面視で、生体モデル１（モデル本体２）の径方向に離間して配置されている。これにより、超音波ガイド下で、生体モデル１にはいくつの疑似病変部が埋設されているのかを確実に把握することができる。【００６５】
図１に示すように、モデル本体２には、当該モデル本体２をその中心軸と垂直な方向に貫通する貫通孔２２が形成されている。図２に示すように、この貫通孔２２は、平面視でＹ字状をなす、すなわち、その途中が複数（図示の構成では２つ）に分岐している。【００６６】
生体モデル１では、さらに貫通孔２２に、可撓性を有する材料（例えばポリ塩化ビニル）で構成されたチューブ４が挿入されている。このチューブ４は、胆管を模した疑似胆管（疑似管腔部）４１として機能する。前述した貫通孔２２は、その途中が分岐しており、またこの貫通孔２２に挿入されたチューブ４（疑似胆管４１）もその途中が分岐したものとなる。これにより、疑似胆管４１に分岐部４２が形成される。生体モデル１では、穿刺操作の訓練を行う際、例えば、分岐部４２に対して穿刺行為を行なったり、またはその反対に、分岐部４２を穿刺しないように、当該分岐部４２を避けて、疑似胆管４１の分岐部４２以外の部分に対して穿刺行為を行なったりすることができる。【００６７】
また、チューブ４は、その３つの端部がモデル本体２の外周面（側面）２３から突出している。この突出した各端部は、それぞれ、液体Ｌが流入出するポート２４ａ、２４ｂ、２４ｃとして機能する。これにより、図９、図１０に示すように、液体Ｌが循環する循環回路を構成することができる。【００６８】
このような疑似胆管４１は、生体モデル１を使用する際に疑似病変部３ａ、３ｂよりも下方に位置するように配置されている。これにより、穿刺操作の訓練を行う際、疑似病変部３ａ、３ｂを避けつつ、疑似胆管４１を穿刺する訓練をすることができる（図９、図１０参照）。【００６９】
なお、生体モデル１では、チューブ４を省略することができる。この場合、モデル本体２の貫通孔２２が疑似胆管として機能する。【００７０】
また、チューブ４は、胆管を模したものとすることができる他、人体の血管を模したものとすることができる。【００７１】
以上のような構成の生体モデル１は、例えば、以下に記載するような製造方法によって製造することができる。【００７２】
球状をなすキャビティを有する金型に、疑似病変部３ａを構成し得る液状材料（着色剤が含有された液状の樹脂材料）を充填する。そして、この液状材料を固化し、離型することにより、疑似病変部３ａを得る。疑似病変部３ｂについても、疑似病変部３ａと同様の方法により、得ることができる。【００７３】
次に、円柱状をなすキャビティを有する金型に、モデル本体２を構成し得る液状材料（伝達性変化材が含有された液状の樹脂材料）を充填する。このキャビティに充填された液状材料中に、前記得られた疑似病変部３ａ、３ｂを所望の位置で維持して埋没させる。そして、この状態で、キャビティ中の液状材料を固化し、離型することにより、生体モデル１を得る。【００７４】
次に、生体モデル１の使用方法の一例について詳細に説明する。
＜＜第１使用例＞＞
［１−１］  まず、図３に示すように、超音波検査装置２０を作動させ、そのプローブ２０１を一方の手で把持して生体モデル１の上面２１に当てながら、超音波検査装置２０のモニタで疑似病変部３ａ、３ｂの位置を確認する。【００７５】
前述したようにモデル本体２が不透明なものであるため疑似病変部３ａ、３ｂを視認することができないが、超音波検査装置２０のモニタに表示された画像によって、疑似病変部３ａ、３ｂの位置や大きさ（形状）を確認することができる。【００７６】
［１−２］  次に、疑似病変部３ａおよび３ｂのうちの、大きい方の疑似病変部３ａに対して、穿刺訓練を行う。【００７７】
超音波検査装置２０のモニタ画像を見つつ、プローブ２０１を最適な角度に調節しながら、図４に示すように、他方の手で生検針３０を用いて、その穿刺針３０１を生体モデル１の上面２１から疑似病変部３ａに向けて穿刺する。このとき、モニタ画像は、二次元であるのに対し、疑似病変部３ａは、実際には三次元で存在するので、プローブ２０１で疑似病変部３ａの位置を慎重に探りながら、頭の中で立体的な位置関係を構想したうえで、生検針３０の疑似病変部３ａ（生体モデル１）に対する穿刺位置と角度（穿刺角度）とを定める。この際、もう１つの重要な点は、穿刺針３０１を疑似病変部３ａに向けて穿刺していったとしても、その穿刺深さ（穿刺方向）が深くなる程、穿刺針３０１の刃面の角度によって穿刺針３０１が疑似病変部３ａに対してズレて（反れて）いく。このため、そのズレを計算に入れて、穿刺位置と穿刺角度を決める必要がある。以上の２点を把握したうえで、疑似病変部３ａに向けて穿刺する。【００７８】
穿刺針３０１の針先３０２が疑似病変部３ａの外表面３１に到達した際、超音波検査装置２０で得られたモニタ画像と、生検針３０を介して感じられる生体モデル１の硬さの変化とで、その到達が確認される。【００７９】
［１−３］  次に、図４に示す状態から、生検針３０の穿刺ボタン３０３を押圧操作する。これにより、穿刺針３０１内に収納されていた中空の内針３０４が疑似病変部３ａに突出する（図５参照）。この突出した内針３０４内に疑似病変部３ａの一部３２が切り取られる（コアリング）。【００８０】
［１−４］  次に、図６に示すように、生検針３０を生体モデル１から抜去する。これにより、サンプリングを得る。【００８１】
［１−５］  次に、生検針３０の内針３０４内部から、上述したサンプリングを取り出す。サンプリングが全て黒色であれば疑似病変部３ａの採取に成功し、白色であれば不成功であることが判る。同様に、小さい方の疑似病変部３ｂに対して、穿刺訓練を行う。以上のように、常に黒色のサンプリングになるように技能を向上させる。【００８２】
＜＜第２使用例＞＞
［２−１］  まず、図９、図１０に示すような、疑似胆管４１を通過する液体Ｌの循環回路を構成する。途中が２つに分岐したチューブ４０を用意し、このチューブ４０の３つの端部４０１をそれぞれ生体モデル１の各ポート２４ａ〜２４ｃに接続する。また、このチューブ４０の途中には、液体Ｌが充填されて（貯留されて）いるタンク５０と、液体Ｌの流れを生じさせるポンプ６０とが設置されている。ポンプ６０の作動により、タンク５０内の液体Ｌは、チューブ４０、疑似胆管４１を順に図中矢印Ａ方向に向かって流下し、ポンプ６０を経由して、タンク５０に戻るように循環する。【００８３】
［２−２］  液体Ｌを循環させた状態で、超音波検査装置２０のモニタに表示された画像で、疑似胆管４１の位置や大きさ（形状）を確認する。【００８４】
［２−３］  次に、超音波検査装置２０のモニタ画像を見つつ、穿刺針７０の内針７０１が接続された（挿入された）穿刺針８０の中空の穿刺部（外針）８０１を、生体モデル１の上面２１から疑似胆管４１に向けて穿刺する。このとき、疑似病変部３ａ、３ｂを避けて、穿刺針８０を疑似胆管４１に向けて穿刺することができる。【００８５】
穿刺針８０の針先８０２が疑似胆管４１を穿刺して当該疑似胆管４１を確保した際、超音波検査装置２０で得られたモニタ画像と、穿刺針８０を介して穿刺針７０に流入した液体Ｌ（フラッシュバック）とによって、その確保が確認される。【００８６】
［２−４］  次に、図９に示す状態から穿刺針７０の内針７０１を穿刺針８０から抜去して、当該穿刺針８０の穿刺部（外針）８０１を介して、ガイドワイヤ９０を疑似胆管４１に送り込む（図１０参照）。これにより、ガイドワイヤ９０を疑似胆管４１に留置することができる。【００８７】
このように、目視では確認することができない胆管に対してガイドワイヤ９０を留置するような処理を施すことができるようにするために、臨床と同様の条件下で生体モデル１を用いることにより、そのガイドワイヤ留置訓練を行うことができる。【００８８】
＜第２実施形態＞
図１１は、本発明の超音波検査用生体モデルの第２実施形態を示す縦断面図である。【００８９】
以下、この図を参照して本発明の超音波検査用生体モデルの第２実施形態について説明するが、前述した実施形態との相違点を中心に説明し、同様の事項はその説明を省略する。【００９０】
本実施形態は、超音波検査用生体モデルの形状が異なること以外は前記第１実施形態と同様である。【００９１】
図１１に示す生体モデル１Ａは、モデル本体２Ａの全体形状がドーム状（山状）をなしており、乳房を模したものとなっている。【００９２】
このモデル本体２Ａは、積層構造を有している。すなわち、モデル本体２Ａは、高剛性層２５と、この高剛性層２５上に積層された低剛性層２６とで構成されている。高剛性層２５は、低剛性層２６よりも剛性が高い層である。生体モデル１Ａでは、低剛性層２６は、乳房の皮下に位置する脂肪組織を模したものとなっている。また、高剛性層２５は、乳房の脂肪組織よりも奥側に位置する乳腺およびその周辺の部位を模したものとなっている。また、低剛性層２６（モデル本体２Ａ）の頂部には、乳頭を模した突部２７が設けられている。【００９３】
高剛性層２５および低剛性層２６は、それぞれ、前記第１実施形態のモデル本体２と同様に、超音波伝達性を変化させる材料を含有したアクリル系樹脂を構成材料の１つとするゲル状材料で構成されている。超音波伝達性を変化させる材料は、低剛性層２６よりも高剛性層２５の方がその含有量は少なく、後述する疑似病変部３ｃには含有させていない。また、高剛性層２５と低剛性層２６との剛性（硬さ）の相違は、各層に配合されるアクリルアミドの配合量の相違によって生じる。高剛性層２５では、低剛性層２６よりもアクリルアミドの配合量が多い。また、突部２７は、低剛性層２６と同様の材料で構成することができる。【００９４】
高剛性層２５内には、疑似病変部３ｃが配置されている。この疑似病変部３ｃは、乳腺に生じた腫瘍（乳がん）を模している。この疑似病変部３ｃは、高剛性層２５よりも硬いものである。疑似病変部３ｃは、前記第１実施形態の疑似病変部３ａ、３ｂと同様に、着色剤を含有したアクリル系樹脂材料で構成されている。疑似病変部３ｃと高剛性層２５との剛性（硬さ）の相違は、それぞれに配合されるアクリルアミドの配合量の相違によって生じる。疑似病変部３ｃでは、高剛性層２５よりもアクリルアミドの配合量が多い。【００９５】
以上のような構成の生体モデル１Ａでも、これにより、前記第１実施形態の生体モデル１と同様に、人体の乳房に生じた腫瘍のように外部から視認不可能な疑似病変部３ｃに対し、超音波ガイド下で確実に穿刺処理を施す訓練を行うことができる。【００９６】
以上、本発明の超音波検査用生体モデルを図示の実施形態について説明したが、本発明は、これに限定されるものではなく、超音波検査用生体モデルを構成する各部は、同様の機能を発揮し得る任意の構成のものと置換することができる。また、任意の構成物が付加されていてもよい。【００９７】
また、本発明の超音波検査用生体モデルは、前記各実施形態のうちの、任意の２以上の構成（特徴）を組み合わせたものであってもよい。【００９８】
また、超音波検査用生体モデルは、肝臓や乳房を模したものに限定されず、例えば、胃、腸等のような臓器を模したものであってもよい。【００９９】
また、疑似病変部の設置数は、１つまたは２つに限定されず、例えば、３つ以上であってもよい。【０１００】
また、疑似病変部は、弾性材料で構成されているが、例えば、ゲル状をなす材料で構成されていてもよい。疑似病変部がゲル状をなす材料で構成されている場合、その材料を例えば注射器で吸引することができる。
【産業上の利用可能性】
【０１０１】
本発明の超音波検査用生体モデルは、超音波ガイド下で用いられる超音波検査用生体モデルであって、人体組織に近似した超音波伝達性を有する不透明な弾性材料で構成され、生体組織を模したモデル本体と、前記モデル本体の内部に埋設されており、該モデル本体と色および超音波伝達性の程度が異なる弾性材料で構成され、生体組織に生じた病変部を模した少なくとも１つの疑似病変部とを備えており、内部が視認不可能な前記モデル本体に対して前記超音波ガイド下で前記疑似病変部に向けて穿刺の訓練ができる。従って、本発明の超音波検査用生体モデルは、産業上の利用可能性を有する。
【図１】
2010016353.tif 000003
【図２】
2010016353.tif 000004
【図３】
2010016353.tif 000005
【図４】
2010016353.tif 000006
【図５】
2010016353.tif 000007
【図６】
2010016353.tif 000008
【図７】
2010016353.tif 000009
【図８】
2010016353.tif 000010
【図９】
2010016353.tif 000011
【図１０】
2010016353.tif 000012
【図１１】
2010016353.tif 000013
【国際調査報告】
2010016353.tif 000014
2010016353.tif 000015